(57)【要約】【課題】他室が蒸発温度が高い状態で運転中に、ある室内機を冷房または除湿運転を開始した場合、圧縮機の周波数が上がってから熱交換を行うことにより、圧縮機吸入圧力の急激な上昇による圧縮機破壊を回避し、快適性を損なわず効果的に機器を制御する。【解決手段】室内機が他室が冷房あるいは除湿運転していると判断した場合、吸入圧力検知装置９の値がある設定値ＬＰａより大きい場合は、運転開始からある決められた時間室内送風機１２を停止または電磁膨張弁１３を微開パルスＰｅｘｍｉｎ（あるいは全閉のまま）で運転を行うように制御を行い、吸入圧力検知装置９の値がある設定値ＬＰｂ（ここではＬＰｂ＝ＬＰａ-１ｋｇ/ｃｍ2Ｇに設定されている）を下回ると圧縮機２が周波数アップを開始したと判断し送風機１２の運転または電磁膨張弁１３を膨張弁初期開度Ｐｅｘで運転を開始するよう制御する。【選択図】図１   
2005133970.tif 000002
【特許請求の範囲】
【請求項１】
可変容量圧縮機、室外熱交換器、送風機、冷媒液管、冷媒ガス管とを有する室外機と、熱交換器及び送風機を有する室内機を複数台接続し、前記室内機の冷媒液管と前記室内熱交換器の間に電動冷媒膨張弁を介装して冷凍サイクルを構成し、一の室内機が冷房あるいは除湿運転開始時、他の室内機が冷房あるいは除湿で運転中の場合、前記膨張弁を閉から徐々に開く制御装置を設けたことを特徴とする空気調和装置。
【請求項２】
可変容量圧縮機、室外熱交換器、送風機、冷媒液管、冷媒ガス管とを有する室外機と、熱交換器及び送風機を有する室内機を複数台接続し、冷媒液管と前記室内熱交換器の間に電動冷媒膨張弁を介装して冷凍サイクルを構成し、少なくとも前記室外機の冷媒吸入管に吸入圧力検知装置を設け、冷房あるいは除湿運転開始時、前記吸入圧力検知装置の信号と他室運転状況により前記送風機の風量を制御する制御装置を設けた空気調和装置において、一の室内機が冷房あるいは除湿運転開始時に他の室内機が冷房あるいは除湿で運転中の場合、前記吸入圧力検知装置の値が所定の圧力値より高い場合、所定時間前記室内送風機を最低風量で運転するか、あるいは停止することを特徴とする空気調和装置。
【請求項３】
冷房あるいは除湿運転開始時、吸入圧力検知装置の値が第１の所定圧力値より高い場合、第２の所定圧力復帰値を下回るまで前記室内送風機を最低風量で運転するか、あるいは停止することを特徴とする、請求項２に記載の空気調和装置。
【請求項４】
少なくとも室外機の冷媒吸入管に吸入圧力検知装置を設け、一の室内機が冷房あるいは除湿運転開始時開始時、他の室内機が冷房あるいは除湿で運転中の場合、前記吸入圧力検知装置の値が所定圧力値より高い場合、所定時間前記膨張弁を微開あるいは閉で運転することを特徴とする、請求項２記載の空気調和装置。
【請求項５】
冷房あるいは除湿運転開始時、吸入圧力検知装置の値が所定圧力値より高い場合、設定圧力復帰値を下回るまで前記膨張弁を微開あるいは閉で運転することを特徴とする、請求項第４項に記載の空気調和装置。
【請求項６】
熱交換器の温度を検知する他室内熱交換器温度検知装置を設け、一の室内機が冷房あるいは除湿運転開始時、前記他室内熱交換器温度検知装置の値が所定温度値より高い場合、所定温度復帰値を下回るまで前記室内送風機を最低風量あるいは停止で運転することを特徴とする、請求項３に記載の空気調和装置。
【請求項７】
可変容量圧縮機、室外熱交換器、送風機、冷媒液管、冷媒ガス管とを有する室外機と、熱交換器及び送風機を有する室内機を複数台接続し、前記室内機の冷媒液管と前記室内熱交換器の間に電動冷媒膨張弁を介装して冷凍サイクルを構成し、一の室内機には他の室内機の熱交換器の温度を検知する他室室内熱交換器温度検知装置を設け、冷房あるいは除湿運転開始時他室が冷房あるいは除湿で運転中の場合、前記他室室内熱交換器温度検知装置の値が所定温度値より高い場合、所定温度復帰値を下回るまで膨張弁を微開あるいは閉で運転することを特徴とする空気調和装置。
【発明の詳細な説明】
【技術分野】
【０００１】
本発明は、容量（周波数）可変圧縮機をインバータにより可変制御する多室型の空気調和装置に関するものである。
【背景技術】
【０００２】
従来、この種の空気調和装置では、容量（周波数）可変形圧縮機を用い、1台あるいは複数台冷房（あるいは除湿）運転中に追加で冷房(あるいは除湿)運転を開始すると、追加運転開始と同時に追加運転室内機の電磁膨張弁が初期設定値で(室内要求負荷に応じたあらかじめ設定された初期設定値)、追加運転室内機の送風機がリモコン設定値で運転を開始し、追加で運転を開始した室内機の要求負荷に応じて容量（周波数）可変形圧縮機の周波数が上昇していた（例えば、特許文献１参照）。
【特許文献１】特開昭５３−５３１４５号公報
【発明の開示】
【発明が解決しようとする課題】
【０００３】
しかしながら、従来の空気調和装置では、追加運転開始と同時に追加運転室内機の電磁膨張弁が初期設定値で(室内要求負荷に応じたあらかじめ設定された初期設定値)、追加運転室内機の送風機がリモコン設定値で運転を開始するが、室外機は一定のインターバルで周波数の上昇下降の制御を行っているため、要求負荷に対する室内機と室外機の反応に時間差を生じる(最大で制御のインターバル時間分のずれを生じる)。
【０００４】
従って、圧縮機周波数が上昇する前に室内機の送風機を運転し電磁膨張弁を初期設定値に設定し運転を開始することもある。このような場合、蒸発温度（吸入圧力）が圧縮機周波数が上昇するまで一時的に急激に上昇してしまう。
【０００５】
また、前記時間のずれがわずかでも、圧縮機の周波数の上昇スピードには信頼性を補償するための限界があるため、圧縮機周波数を徐々に上昇せざるを得ず、この上昇中に蒸発温度（吸入圧力）が一時的に急激に上昇してしまう。この蒸発温度（吸入圧力）の上昇により、圧縮機の軸受け荷重が増加し、スラスト軸受けの損傷がおき圧縮機の信頼性が著しく低下することがある。
【０００６】
以上の不具合を回避するために、運転中の蒸発温度(圧縮機吸入圧力)は追加運転時の圧力上昇を見越して圧縮機の仕様に対して低めに設定せざるを得ず、要求負荷が低いのにもかかわらず圧縮機周波数を高めに運転し吸入圧力を下げたり(要求負荷が低い場合は圧縮機周波数をさげて運転をセーブしたいができない)、室内機の結露を回避するのに蒸発温度を上げたいが、出来ないために風量アップや風向変更で室内機の結露を回避する手段を取っており、快適性を若干損なって運転をしていた。
【０００７】
本発明は上記従来の欠点を解消するもので、圧縮機などの機器を保護しながらかつ快適性を損なわず効果的に機器を制御するものである。
【課題を解決するための手段】
【０００８】
上記課題を解決するために本発明は、可変容量圧縮機、室外熱交換器、送風機、冷媒液管、冷媒ガス管とを有する室外機と、熱交換器及び送風機を有する室内機を複数台接続し、前記室内機の冷媒液管と前記室内熱交換器の間に電動冷媒膨張弁を介装して冷凍サイクルを構成し、一の室内機が冷房あるいは除湿運転開始時、他の室内機が冷房あるいは除湿で運転中の場合、前記膨張弁を閉から徐々に開く制御装置を設けたものである。
【０００９】
また、可変容量圧縮機、室外熱交換器、送風機、冷媒液管、冷媒ガス管とを有する室外機と、熱交換器及び送風機を有する室内機を複数台接続し、冷媒液管と前記室内熱交換器の間に電動冷媒膨張弁を介装して冷凍サイクルを構成し、少なくとも前記室外機の冷媒吸入管に吸入圧力検知装置を設け、冷房あるいは除湿運転開始時、前記吸入圧力検知装置の信号と他室運転状況により前記送風機の風量を制御する制御装置を設けた空気調和装置において、一の室内機が冷房あるいは除湿運転開始時に他の室内機が冷房あるいは除湿で運転中の場合、前記吸入圧力検知装置の値が所定の圧力値より高い場合、所定時間前記室内送風機を最低風量で運転するか、あるいは停止するものである。
【００１０】
また、可変容量圧縮機、室外熱交換器、送風機、冷媒液管、冷媒ガス管とを有する室外機と、熱交換器及び送風機を有する室内機を複数台接続し、前記室内機の冷媒液管と前記室内熱交換器の間に電動冷媒膨張弁を介装して冷凍サイクルを構成し、一の室内機には他の室内機の熱交換器の温度を検知する他室室内熱交換器温度検知装置を設け、冷房あるいは除湿運転開始時他室が冷房あるいは除湿で運転中の場合、前記他室室内熱交換器温度検知装置の値が所定温度値より高い場合、所定温度復帰値を下回るまで膨張弁を微開あるいは閉で運転するものである。
【００１１】
上記発明によって、吸入圧力の急激な上昇を抑え、圧縮機などの機器を保護しながらかつ快適性を損なわず効果的に機器を制御することが可能となる。
【発明の効果】
【００１２】
本発明の空気調和装置は、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。
【００１３】
また、このことにより、圧縮機などの機器を保護しながらかつ快適性を損わない空気調和装置の運転が可能となる。
【００１４】
また、風量ダウンの時間を短くでき、さらに快適性が向上し、圧縮機などの機器を保護しながら快適性を損わない空気調和装置の運転が可能となる。
【００１５】
また、運運転開始時に使用者の設定した風量で運転しないといった不具合を回避でき、且つ圧縮機などの機器を保護しながら快適性を損わない空気調和装置の運転が可能となる。
【００１６】
また、冷媒流量調整の時間を短くでき快適性がさらに向上し、圧縮機などの機器を保護しながら快適性を損わない空気調和装置の運転が可能となる。
【００１７】
また、室外側と通信を行う必要がなく、且つ吸入圧力センサーが不要になりコストダウンが図れる。
【発明を実施するための最良の形態】
【００１８】
第１の発明は、可変容量圧縮機、室外熱交換器、送風機、冷媒液管、冷媒ガス管とを有する室外機と、熱交換器及び送風機を有する室内機を複数台接続し、前記室内機の冷媒液管と前記室内熱交換器の間に電動冷媒膨張弁を介装して冷凍サイクルを構成し、一の室内機が冷房あるいは除湿運転開始時、他の室内機が冷房あるいは除湿で運転中の場合、前記膨張弁を閉から徐々に開く制御装置を設けたものである。
【００１９】
この構成をなすことにより、室内熱交換能力の急激な増大による蒸発圧力の急上昇を回
避でき、圧縮機吸入圧力の上昇による圧縮機破壊を回避でき、機器の信頼性及び圧縮機の信頼性が向上する。
【００２０】
第２の発明は、可変容量圧縮機、室外熱交換器、送風機、冷媒液管、冷媒ガス管とを有する室外機と、熱交換器及び送風機を有する室内機を複数台接続し、冷媒液管と前記室内熱交換器の間に電動冷媒膨張弁を介装して冷凍サイクルを構成し、少なくとも前記室外機の冷媒吸入管に吸入圧力検知装置を設け、冷房あるいは除湿運転開始時、前記吸入圧力検知装置の信号と他室運転状況により前記送風機の風量を制御する制御装置を設けた空気調和装置において、一の室内機が冷房あるいは除湿運転開始時に他の室内機が冷房あるいは除湿で運転中の場合、前記吸入圧力検知装置の値が所定の圧力値より高い場合、所定時間前記室内送風機を最低風量で運転するか、あるいは停止するものである。
【００２１】
この構成をなすことにより、圧縮機などの機器を保護しながら快適性を損わない空気調和装置の運転が可能となる。
【００２２】
第３の発明は、冷房あるいは除湿運転開始時、吸入圧力検知装置の値が第１の所定圧力値より高い場合、第２の所定圧力復帰値を下回るまで前記室内送風機を最低風量で運転するか、あるいは停止するものである。
【００２３】
この構成をなすことにより、圧縮機などの機器を保護しながら快適性を損わない空気調和装置の運転が可能となる。
【００２４】
第４の発明は、少なくとも室外機の冷媒吸入管に吸入圧力検知装置を設け、一の室内機が冷房あるいは除湿運転開始時開始時、他の室内機が冷房あるいは除湿で運転中の場合、前記吸入圧力検知装置の値が所定圧力値より高い場合、所定時間前記膨張弁を微開あるいは閉で運転するものである。
【００２５】
この構成をなすことにより、圧縮機などの機器を保護しながら快適性を損わない空気調和装置の運転が可能となる。
【００２６】
第５の発明は、冷房あるいは除湿運転開始時、吸入圧力検知装置の値が所定圧力値より高い場合、設定圧力復帰値を下回るまで前記膨張弁を微開あるいは閉で運転するものである。
【００２７】
この構成をなすことにより、圧縮機などの機器を保護しながら快適性を損わない空気調和装置の運転が可能となる。
【００２８】
第６の発明は、熱交換器の温度を検知する他室内熱交換器温度検知装置を設け、一の室内機が冷房あるいは除湿運転開始時、前記他室内熱交換器温度検知装置の値が所定温度値より高い場合、所定温度復帰値を下回るまで前記室内送風機を最低風量あるいは停止で運転するものである。
【００２９】
この構成をなすことにより、圧縮機などの機器を保護しながら快適性を損わない空気調和装置の運転が可能となる。
【００３０】
第７の発明は、可変容量圧縮機、室外熱交換器、送風機、冷媒液管、冷媒ガス管とを有する室外機と、熱交換器及び送風機を有する室内機を複数台接続し、前記室内機の冷媒液管と前記室内熱交換器の間に電動冷媒膨張弁を介装して冷凍サイクルを構成し、一の室内機には他の室内機の熱交換器の温度を検知する他室室内熱交換器温度検知装置を設け、冷房あるいは除湿運転開始時他室が冷房あるいは除湿で運転中の場合、前記他室室内熱交換
器温度検知装置の値が所定温度値より高い場合、所定温度復帰値を下回るまで膨張弁を微開あるいは閉で運転するものである。
【００３１】
この構成をなすことにより、圧縮機などの機器を保護しながら快適性を損わない空気調和装置の運転が可能となる。
【００３２】
以下、本発明の実施の形態について、図面を参照しながら説明する。なお、本実施の形態によって本発明が限定されるものではない。
【００３３】
（実施の形態１）
図１は、本発明にかかる多室型空気調和装置の冷凍サイクル図の一例であり、１台の室外機１に複数台（例えば２台）の室内機１０ａ  １０ｂを接続した場合を示している。
図１において、室外機1にはインバータ駆動の容量（周波数）可変形圧縮機２（以下単に圧縮機と称す）と、室外熱交換器３と室外送風機４と、冷媒液側主管５と、冷媒ガス側主管６と、冷暖房切換用の四方弁７とが設けられる。
【００３４】
一方、室内機１０ａ，１０ｂには室内送風機１２ａ、１２ｂと、室内熱交換器１１ａ，１１ｂがそれぞれ設けられていて、室外機１と室内機１０ａ、１０ｂは冷媒液側主管５より分岐した液側分岐管１７ａ，１７ｂ，及び冷媒ガス側主管６より分岐したガス側分岐管１８ａ，１８ｂとで接続されており、液側分岐管１７ａ，１７ｂと室内熱交換器１１ａ，１１ｂの間には、例えばステッピングモータ等により弁開度をパルス制御可能な電動膨張弁１３ａ，１３ｂがそれぞれ介装されている。
【００３５】
また、室内機１０ａ，１０ｂには部屋の室温を検出する室内吸込み温度検知装置１４ａ，１４ｂ、室内機１０ａ，１０ｂの熱交換器の温度を検知する室内熱交換器温度検知装置１５ａ、１５ｂ居住者が希望する運転モード（冷房または暖房）と室温と運転あるいは停止を設定できる運転設定装置１６ａ，１６ｂが設けられている。
【００３６】
また、室外機１の圧縮機２の吸入管８には吸入圧力を検知する吸入圧力検知装置９が設けられている。
【００３７】
上記構成の冷凍サイクルにおいて、冷房あるいは除湿運転時、圧縮機２から吐出された冷媒は四方弁７を介して室外熱交換器３へと流れ、室外送風機４の駆動により室外熱交換器３で室外空気と熱交換して凝縮液化し、次に冷媒液側主管５を通り液側分岐管１７ａ，１７ｂにて冷媒分配させ電動膨張弁１３ａ，１３ｂで複数の室内機に分配された冷媒を流量制御して室内熱交換機１１ａ，１１ｂで蒸発した後に、ガス側分岐から冷媒ガス側主管６に合流して四方弁7を介して再び圧縮機２に吸入される。
【００３８】
この電動配膨張弁１３ａ，１３ｂは室内の負荷に見合った開度となるようにステッピングモータ等によりパルス制御されるため、冷媒も室内負荷に応じた流量で制御される。
【００３９】
次に、本発明の制御の流れについて図２，３を用いて説明する。
【００４０】
図２は複数の室内機から温度と運転設定との関係から差温、室内負荷レベル信号を送信して圧縮機周波数及び電動膨張弁の制御行う流れを示すブロック図で、図３はフローチャート図である。
【００４１】
まず図２で各信号の流れについて説明を行う、室内機１０ａにおいて、室内吸込み温度検知装置１４ａ出力を差温算出装置１７ａに送出する一方、運転設定装置１６ａからの信号を信号受信装置１８ａで受けて運転設定装置１６ａで設定された温度設定を室内温度設
定記憶装置１９ａで記憶されその温度設定を差温算出装置１７ａに送出し、ここで差温ΔＴ（＝Ｔｒ−Ｔｓ）を算出し、差温信号とする。
【００４２】
この運転設定装置１６ａでは、温度設定の他に運転停止信号、冷房・除湿・暖房等の運転モード、風量設定、風量自動、風向設定、風向自動が設定できるものである。
【００４３】
また、運転停止記憶装置２０ａにて、運転設定装置１６ａで設定された信号を信号受信装置１８ａで受信し室内機１０ａの運転（ＯＮ）あるいは停止（ＯＦＦ）を記憶する
また、風量設定記憶装置２１ａにて、運転設定装置１６ａで設定された信号を信号受信装置１８で受信し室内機の設定風量を記憶する。
【００４４】
また、室内熱交換器温度検知装置１５ａの出力を室内熱交換器温度の信号として出力する。また、運転モード記憶装置２２ａにて、運転設定装置１６ａで設定された信号を信号受信装置１８ａで受信し室内機１０ａの冷房・除湿・暖房等どれかの運転モードを記憶する。
【００４５】
そして、差温信号、運転モード信号、運転停止信号、設定風量信号及び熱交換器温度信号を信号送出装置より２５送風機風量設定装置２３ａ、膨張弁開度設定装置２４ａ及び室外機１の信号受信装置２６へ送出する。
【００４６】
また運転モード信号、運転停止信号、室内熱交換器温度信号は他室内機１０ｂに送出され、他室運転モード記憶装置２７ｂで記憶され、室内機は各々他室内機の運転状況を把握できるようになっている。
【００４７】
室内機１０ａ、１０ｂにおいて差温信号、運転モード信号、運転停止信号、室内熱交換器温度信号、設定風量信号に基づいて膨張弁開度設定装置２４ａにて弁初期開度テーブル２８ａから所定の演算を行うことにより電動膨張弁１３ａの開度を決定し、風量設定装置２３ａにて室内風量を決定し室内機の運転を行う。
【００４８】
一方、室外機１において圧縮機周波数演算装置２８にて、室内機１０ａ，１０ｂから受信した差温信号、運転モード信号、運転停止信号、設定風量信号及び熱交換器温度信号に基づいて、運転周波数を算出し、圧縮機周波数が設定された後、圧縮機周波数の制御を行う。
【００４９】
以後、所定周期毎に、差温信号、運転モード信号、運転停止信号、設定風量信号及び室内熱交換器温度信号に基づいて電動膨張弁１３ａの弁開度、及び圧縮機２の周波数を算出し制御が行われる。
【００５０】
ここで、室内側は運転開始と同時に差温信号、運転モード信号、運転停止信号、設定風量信号及び室内熱交換器温度信号に基づいて膨張弁開度設定装置２４ａにて弁初期開度テーブル２８ａから所定の演算を行うことにより電動膨張弁１３ａの開度を決定し、風量設定装置２３ａにて室内風量を決定し室内機の運転を行うが、室外側は所定周期(制御インターバル時間)毎に、室内側から送られる差温信号、運転モード信号、運転停止信号、設定風量信号及び室内熱交換器温度信号に基づいて圧縮機２の周波数を算出し制御が行われるために、室内外で時間差を生じ、室内側が動き出してから最大で所定周期(制御インターバル時間)分、圧縮機周波数の上昇までの時間のずれを生じる。
【００５１】
次に図３のフロチャート図で具体的に本発明の制御の流れについて説明を行う。居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づい
て室内風量及び膨張弁初期開度Ｐｅｘ（ここでは例えばＰｅｘ0パルス）(ＳＴＥＰ２)を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ1)膨張弁初期開度（ここでは例えばＰｅｘ０パルス）ではなくＯパルス(閉)から(ＳＴＥＰ３)所定時間(Ｔｉｎｔ)毎に(ＳＴＥＰ６)徐々にＰｅｘａパルスづつ(ＳＴＥＰ４)、初期設定パルスＰｅｘ０に達するまで(ＳＴＥＰ５)徐々に開く様に制御を行う。この初期設定パルスＰｅｘ０に達する時間は室外側の圧縮機周波数演算装置２８の制御インターバルより若干大きな同じ時間が与えられており、圧縮機２の周波数が上昇してから室内機の負荷にあった冷媒が供給される様に制御されている。
【００５２】
そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。
【００５３】
よって、圧縮機などの機器を保護しながらかつ快適性を損なわず効果的に空気調和装置の運転が可能となる
なお、暖房運転については、本発明の主眼ではないので、その説明は省略する。
【００５４】
（実施の形態２）
図１は、本発明の実施の形態２における空気調和装置の冷凍サイクル図の一例であり、図２は制御ブロック図、図４はフローチャートである。
【００５５】
冷凍サイクルの動き及び各信号の流れは実施の形態１と同様なので説明は省略する。
次に図４のフロチャートで具体的に本発明の制御の流れについて説明を行う。
【００５６】
居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づいて室内風量及び膨張弁初期開度Ｐｅｘ（ここでは例えばＰｅｘ0パルス）を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ１)、吸入圧力検知装置９の値(ＬＰｓ)がある設定値ＬＰａより大きい場合（ＳＴＥＰ２）、運転開始からある決められた時間（Ｔｉｔｖ）（ＳＴＥＰ４）室内機の風量を設定風量ではなく、最低風量（あるいは送風停止）で運転を行うように制御を行う（ＳＴＥＰ３）。
【００５７】
このある決められた時間（Ｔｉｔｖ）は室外機1の圧縮機周波数演算装置28の制御インターバルより若干大きな同じ時間が与えられているので、圧縮機２の周波数が上昇してから冷媒が室内側と負荷にあった熱交換がされるように(送風風量微風あるいは停止によりほとんど熱交換されていない)制御されている。
【００５８】
そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。
【００５９】
よって、圧縮機などの機器を保護しながらかつ快適性を損なわず効果的に空気調和装置の運転が可能となる。
【００６０】
（実施の形態３）
図１は、本発明の実施の形態2における空気調和装置の冷凍サイクル図の一例であり、
図２は制御ブロック図、図５はフローチャートである。
【００６１】
冷凍サイクルの動き及び各信号の流れは実施の形態１と同様なので説明は省略する。
【００６２】
次に図５のフロチャート図で具体的に本発明の制御の流れについて説明を行う。居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づいて室内風量及び膨張弁初期開度Ｐｅｘ（ここでは例えばＰｅｘ０パルス）を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ１)、吸入圧力検知装置９の値(ＬＰｓ)がある設定値ＬＰａより大きい場合（ＳＴＥＰ２）、運転開始からある決められた時間（Ｔｉｔｖ）（ＳＴＥＰ６）室内機の風量を設定風量ではなく、最低風量（あるいは送風停止）で運転を行うように制御を行い（ＳＴＥＰ３）、吸入圧力検知装置９の値(ＬＰｓ)がある設定値ＬＰｂ（ここではＬＰｂ＝ＬＰａ-１ｋｇ/cm2Gに設定されている）を下回ると（ＳＴＥＰ４）、圧縮機２が周波数アップを開始したと判断し風量を設定風量で運転を開始する（ＳＴＥＰ５）様に制御されている。
【００６３】
そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。又、圧縮機周波数上昇と同時に室内設定風量で運転を開始するので快適性が著しく向上する。よって、圧縮機などの機器を保護しながらかつ快適性を損なわず効果的に空気調和装置の運転が可能となる。
【００６４】
（実施の形態４）
図１は、本発明の実施の形態４における空気調和装置の冷凍サイクル図の一例であり、図２は制御ブロック図、図６はフローチャートである。冷凍サイクルの動き及び各信号の流れは実施の形態1と同様なので説明は省略する。
【００６５】
次に図６のフロチャートで具体的に本発明の制御の流れについて説明を行う。居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づいて室内風量及び膨張弁初期開度Ｐｅｘ（ここでは例えばＰｅｘ０パルス）を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ１)、吸入圧力検知装置９の値(ＬＰｓ)がある設定値ＬＰａより大きい場合（ＳＴＥＰ２）、運転開始からある決められた時間（Ｔｉｔｖ）（ＳＴＥＰ６）、吸入圧力検知装置９の値(ＬＰｓ)がある膨張弁初期開度（ここでは例えばＰｅｘ０パルス）ではなく所定の微開パルスＰｅｘｍｉｎ（あるいは全閉のまま）で運転を行うように制御されている（ＳＴＥＰ３）。このある決められた時間（Ｔｉｔｖ）は室外側１の圧縮機周波数演算装置２８の制御インターバルより若干大きな同じ時間が与えられているので、圧縮機２の周波数が上昇してから室内機の負荷にあった冷媒が供給される様に制御されている。そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。よって、圧縮機などの機器を保護しながらかつ快適性を損なわず効果的に空気調和装置の運転が可能となる。
【００６６】
（実施の形態５）
図1は、本発明の実施の形態５における空気調和装置の冷凍サイクル図の１例であり、図
２は制御ブロック図、図7はフローチャート図である。
冷凍サイクルの動き及び各信号の流れは実施の形態1と同様なので説明は省略する。
次に図7のフロチャート図で具体的に本発明の制御の流れについて説明を行う。居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づいて室内風量及び膨張弁初期開度Ｐｅｘ（ここでは例えばＰｅｘ０パルス）を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ１)、吸入圧力検知装置９の値(ＬＰｓ)がある設定値ＬＰａより大きい場合（ＳＴＥＰ２）、運転開始からある決められた時間（Ｔｉｔｖ）（ＳＴＥＰ６）、吸入圧力検知装置９の値(ＬＰｓ)がある膨張弁初期開度（ここでは例えばＰｅｘ０パルス）ではなく所定の微開パルスＰｅｘｍｉｎ（あるいは全閉のまま）で運転を行うように制御されているが（ＳＴＥＰ３）、吸入圧力検知装置９の値(ＬＰｓ)がある設定値ＬＰｂ（ここではＬＰｂ＝ＬＰａ−１ｋｇ/ｃｍ２Ｇに設定されている）を下回ると（ＳＴＥＰ４）、圧縮機２が周波数アップを開始したと判断し、膨張弁初期開度Ｐｅｘ（ここでは例えばＰｅｘ０パルス）で運転を開始する（ＳＴＥＰ５）様に制御されている。よって、圧縮機２の周波数が上昇してから室内機の負荷にあった冷媒が供給される様に制御されている。
【００６７】
そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。
【００６８】
又、圧縮機周波数上昇と同時に室内側に冷媒が供給されるので快適性が著しく向上する（制御インターバル時間待つことなく、周波数が上がればすばやく冷媒を供給し室内に冷風を送り込むことができる）。よって、圧縮機などの機器を保護しながらかつ快適性を損なわず効果的に空気調和装置の運転が可能となる
（実施の形態６）
図１は、本発明の実施の形態６における空気調和装置の冷凍サイクル図の１例であり、図２は制御ブロック図、図８はフローチャート図である。冷凍サイクルの動き及び各信号の流れは実施の形態1と同様なので説明は省略する。
【００６９】
次に図８のフロチャート図で具体的に本発明の制御の流れについて説明を行う。居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づいて室内風量及び膨張弁初期開度Ｐｅｘ（ここでは例えばＰｅｘ０パルス）を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ１)、その他室の熱交換器温度(Ｔｅｖａｂ)がある設定値Ｔｅｖ１より大きい場合（ＳＴＥＰ２）、運転開始からある決められた時間（Ｔｉｔｖ）（ＳＴＥＰ６）室内機の風量を設定風量ではなく、最低風量（あるいは送風停止）で運転を行うように制御を行うが（ＳＴＥＰ３）、他室の熱交換器温度(Ｔｅｖａｂ)がある設定値Ｔｅｖ２（ここでは例えばＴｅｖ２＝Ｔｅｖ1−２℃に設定されている）を下回ると（ＳＴＥＰ４）、圧縮機2が周波数アップを開始したと判断し風量を設定風量で運転を開始する（ＳＴＥＰ５）様に制御されている。
【００７０】
そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。又、圧縮機周波数上昇と同時に室内設定風量で運転を開始するので快適性が著しく向上する。よって、圧縮機などの機器を保護しながら
かつ快適性を損なわず効果的に空気調和装置の運転が可能となる。
【００７１】
（実施の形態７）
図１は、本発明の実施の形態７における空気調和装置の冷凍サイクル図の一例であり、図２は制御ブロック図、図９はフローチャートである。冷凍サイクルの動き及び各信号の流れは実施の形態１と同様なので説明は省略する。
【００７２】
次に図９のフロチャートで具体的に本発明の制御の流れについて説明を行う。居住者が運転設定装置１６ａ(たとえばａ室)で冷房あるいは除湿を選択すると（ＳＴＥＰ０）、差温信号、運転モード信号、運転停止信号、設定風量信号及び熱交換器温度信号に基づいて室内風量及び膨張弁初期開度Ｐｅｘ（ここでは例えばＰｅｘ０パルス）を設定し、運転選択と同時に設定室内風量及び膨張弁初期開度で運転を開始すると共に信号送出装置２５ａを通して室外機１の信号受信装置２６へ送出するが、室内機が他室(例えばｂ室)が冷房あるいは除湿運転していると判断した場合(ＳＴＥＰ１)、その他室の熱交換器温度(Ｔｅｖａｂ)がある設定値Ｔｅｖ１より大きい場合（ＳＴＥＰ２）、運転開始からある決められた時間（Ｔｉｔｖ）（ＳＴＥＰ６）、ある膨張弁初期開度（ここでは例えばＰｅｘ０パルス）ではなく所定の微開パルスＰｅｘｍｉｎ（あるいは全閉のまま）で運転を行うように制御されているが（ＳＴＥＰ３）、他室の熱交換器温度(Ｔｅｖａｂ)がある設定値Ｔｅｖ２（ここでは例えばＴｅｖ２＝Ｔｅｖ1−２℃に設定されている）を下回ると（ＳＴＥＰ４）、圧縮機２が周波数アップを開始したと判断し膨張弁初期開度Ｐｅｘ（ここでは例えばＰｅｘ０パルス）で運転を開始する（ＳＴＥＰ５）様に制御されている。よって、圧縮機２の周波数が上昇してから室内機の負荷にあった冷媒が供給される様に制御されている。
【００７３】
そしてこの構成のよれば、圧縮機周波数上昇前に、室内熱交換能力の急激な増大による蒸発圧力の急上昇を回避でき、圧縮機吸入圧力の上昇による圧縮機破壊を回避でき、機器の信頼性及び圧縮機の信頼性が向上する。
【００７４】
又、圧縮機周波数上昇と同時に圧縮機周波数上昇と同時に室内側に冷媒が供給されるので快適性が著しく向上する（制御インターバル時間待つことなく、周波数が上がればすばやく冷媒を供給し室内に冷風を送り込むことができる）。
【００７５】
よって、圧縮機などの機器を保護しながらかつ快適性を損なわず効果的に空気調和装置の運転が可能となる。
【産業上の利用可能性】
【００７６】
以上のように、本発明に係る空気調和装置は、室内熱交換能力の急激な増大による蒸発圧力の急上昇を回避でき、圧縮機吸入圧力の上昇による圧縮機破壊を回避でき、機器の信頼性及び圧縮機の信頼性が向上するので、多室型空気調和装置に限らず、一室型の空気調和装置において風量を急激に変化させる場合にも応用できる。
【図面の簡単な説明】
【００７７】
【図１】本発明の冷凍サイクル図
【図２】本発明の制御ブロック図
【図３】本発明の第１の実施の形態のフローチャート
【図４】本発明の第２の実施の形態のフローチャート
【図５】本発明の第３の実施の形態のフローチャート
【図６】本発明の第４の実施の形態のフローチャート
【図７】本発明の第５の実施の形態のフローチャート
【図８】本発明の第６の実施の形態のフローチャート
【図９】本発明の第７の実施の形態のフローチャート
【符号の説明】
【００７８】
１  室外機
２  圧縮機
３  室外熱交換器
４  室外送風機
５  冷媒液管
６  冷媒ガス管
７  四方弁
８  冷媒吸入管
９  吸入圧力検知装置
１０  室内機
１１  室内熱交換器
１２  室内送風機
１３  電動膨張弁
１４  室内吸込み温度検知装置
１５  室内熱交換器温度検知装置
１６  運転設定装置
【図１】
2005133970.tif 000003
【図２】
2005133970.tif 000004
【図３】
2005133970.tif 000005
【図４】
2005133970.tif 000006
【図５】
2005133970.tif 000007
【図６】
2005133970.tif 000008
【図７】
2005133970.tif 000009
【図８】
2005133970.tif 000010
【図９】
2005133970.tif 000011